【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
含有する有機物がより少ない処理済み液をもたらす水性有機廃液の処理装置において、
多孔質膜によって隔てられた第１処理ゾーン及び第２処理ゾーンを規定する処理リザーバと、
第１処理ゾーン及び第２処理ゾーンにおいて設けられた、電気化学的再生が可能な炭素系吸着性物質と、
第１処理ゾーン及び第２処理ゾーンの各々に含まれる水性有機廃液中に炭素系吸着性物質を分散するように動作可能なアジテータと、
第１処理ゾーン内の炭素系吸着性物質と動作可能に接続する第１電流フィーダと、第２処理ゾーン内の炭素系吸着性物質と動作可能に接続する第２電流フィーダと、
第１電流フィーダ及び第２電流フィーダを作動して、第１処理ゾーン及び第２処理ゾーン内の炭素系吸着性物質に電流を一方向に流して、第１処理ゾーン及び第２処理ゾーンのうちの一方における炭素系吸着性物質を再生し、その後、第１処理ゾーン及び第２処理ゾーン内の炭素系吸着性物質に印加される電流の方向を反転させて、第１処理ゾーン及び第２処理ゾーンのうちの他方における炭素系吸着性物質を再生するコントローラと、
を備える装置。
【請求項２】
アジテータは、処理リザーバの下側にあって、１つ又は複数の入口を規定するチャンバと、入口に流体を送るポンプと備えている、請求項１に記載の装置。
【請求項３】
含有する有機物がより少ない処理済み液をもたらす水性有機廃液の処理方法において、
処理リザーバの第１処理ゾーン及び第２処理ゾーンに水性有機廃液を入れる工程であって、第１処理ゾーン及び第２処理ゾーンは、多孔質膜によって隔てられており、各処理ゾーンは、電気化学的再生が可能な炭素系吸着性物質を含んでいる、工程と、
各処理ゾーン内の水性有機廃液中に炭素系吸着性物質を分散する工程と、
炭素系吸着性物質を各処理ゾーン内で沈下させる工程と、
第１処理ゾーン及び第２処理ゾーンにそれぞれ動作可能に接続する第１電流フィーダ及び第２電流フィーダを作動して、各処理ゾーン内の炭素系吸着性物質中に電流を一方向に流して、第１処理ゾーン及び第２処理ゾーンのうちの一方における炭素系吸着性物質を再生する工程と、
第１電流フィーダ及び第２電流フィーダを作動して、第１処理ゾーン及び第２処理ゾーン内の炭素系吸着性物質に印加される電流の方向を反転させて、第１処理ゾーン及び第２処理ゾーンのうちの他方における炭素系吸着性物質を再生する工程と、
を含む方法。
【請求項４】
水性有機廃液中に炭素系吸着性物質を分散する工程と、炭素系吸着性物質を沈下させる工程とを、１回又は複数回繰り返して、水性有機廃液から有機物を取り出してから、第１電流フィーダ及び第２電流フィーダを作動して、炭素系吸着性物質に印加される電流の方向を反転させる、請求項３に記載の方法。
【請求項５】
水性有機廃液中に炭素系吸着性物質を分散する工程と、炭素系吸着性物質を沈下させる工程とを、１回又は複数回繰り返して、有機物を水性有機廃液から取り出してから、処理済み液を処理リザーバから取り出す、請求項３又は請求項４に記載の方法。
【請求項６】
帯電無機種が生じるのは、第１処理ゾーン及び第２処理ゾーン内の炭素系吸着性物質中を電流が流れる間であり、電流フィーダは、運転中の電流フィーダ上への帯電無機種の電着ができるだけ小さくなるように運転される、請求項３乃至５の何れかに記載の方法。
【請求項７】
水性有機廃液は、放射性種を含有する、請求項３乃至６の何れかに記載の方法。
【請求項８】
含有する有機物がより少ない処理済み液をもたらす水性有機廃液の連続処理装置において、
多孔質膜によって隔てられた第１処理ゾーン及び第２処理ゾーンを規定する処理リザーバと、
第１処理ゾーン及び第２処理ゾーンにおいて設けられた、電気化学的再生が可能な炭素系吸着性物質と、
第１処理ゾーン及び第２処理ゾーンの各々に水性有機廃液を選択的に入れて、各処理ゾーンにおいて、水性有機廃液が炭素系吸着性物質を通過するほど十分に大きいが、炭素系吸着性物質を流動化させるのに必要とされる流量未満の流量で炭素系吸着性物質と接触させるように動作可能なポンプと、
第１処理ゾーン内の炭素系吸着性物質と動作可能に接続する第１電流フィーダと、第２処理ゾーン内の炭素系吸着性物質と動作可能に接続する第２電流フィーダと、
第１電流フィーダ及び第２電流フィーダを作動して、第１処理ゾーン及び第２処理ゾーン内の炭素系吸着性物質中に電流を一方向に流して、第１処理ゾーン及び第２処理ゾーンのうちの一方における炭素系吸着性物質を再生し、その後、第１処理ゾーン及び第２処理ゾーン内の炭素系吸着性物質に印加される電流の方向を反転させて、第１処理ゾーン及び第２処理ゾーンのうちの他方における炭素系吸着性物質を再生するコントローラと、
を備える装置。
【請求項９】
装置は、間隔を空けて配置された１つ又は複数の入口を備え、該入口を通して、汚染された液が、吸着性物質のベッドへと圧入される、請求項８に記載の装置。
【請求項１０】
複数の入口は、吸着性ベッドを通る、対応する複数の別々の液体流路を確立するのに十分な距離だけ離れている、請求項９に記載の装置。
【請求項１１】
含有する有機物がより少ない処理済み液をもたらす水性有機廃液の連続処理方法において、
処理リザーバの第１処理ゾーンに水性有機廃液を入れるようにポンプを運転する工程であって、処理リザーバは第２処理ゾーンをも含み、第１処理ゾーン及び第２処理ゾーンは、多孔質膜によって隔てられており、水性有機廃液は、第１処理ゾーンに入れられて、水性有機廃液がベッドの炭素系吸着性物質を通過するほど十分に大きいが、炭素系吸着性物質のベッドを流動化させるのに必要とされる流量未満の流量で第１処理ゾーンのベッドの炭素系吸着性物質と接触する、工程と、
第１処理ゾーン及び第２処理ゾーンにそれぞれ動作可能に接続する第１電流フィーダ及び第２電流フィーダを作動して、各処理ゾーンの炭素系吸着性物質中に電流を一方向に流して、第１処理ゾーンの炭素系吸着性物質を再生する工程と、
第２処理ゾーンに水性有機廃液を入れて、水性有機廃液が炭素系吸着性物質のベッドを通過するほど十分に大きいが、炭素系吸着性物質のベッドを流動化させるのに必要とされる流量未満の流量で第２処理ゾーンのベッド中の炭素系吸着性物質と接触させるようにポンプを運転する工程と、
第１電流フィーダ及び第２電流フィーダを作動して、第１処理ゾーン及び第２処理ゾーン内の炭素系吸着性物質に印加される電流の方向を反転させて、第２処理ゾーンの炭素系吸着性物質を再生する工程と、
を含む方法。
【請求項１２】
水性有機廃液は、１つ又は複数の入口を通して、炭素系吸着性物質の各ベッドへと圧入される、請求項１１に記載の方法。
【請求項１３】
水性有機廃液は、複数の入口を通して入れられ、複数の入口は、各処理ゾーンの炭素系吸着性物質のベッドを通る、対応する複数の別々の液体流路を確立するのに十分な距離の間隔を確立するのに十分な距離だけ離れている、請求項１２に記載の方法。
【請求項１４】
炭素系吸着性物質と接触した液は、炭素系吸着性物質の対応するベッドと流体連通するリザーバに移される、請求項１１乃至１３の何れかに記載の方法。
【請求項１５】
帯電無機種が生じるのは、第１処理ゾーン及び第２処理ゾーン内の炭素系吸着性物質中を電流が流れる間であり、電流フィーダ及びポンプは、運転中の電流フィーダ上への帯電無機種の電着ができるだけ小さくなるように運転される、請求項１１乃至１４の何れかに記載の方法。